(57)【要約】　【課題】　高速なバースト信号を光信号に変換するレーザダイオードの消光比を一定に保つ。　【解決手段】　変調電流Imを通常の値としたバースト＃１の平均光パワーと変調電流をわずかに増やしたバースト＃２の平均光パワーとの差が基準値と等しくなるよう、また、変調電流Imを通常の値としたバースト＃３の平均光パワーが基準値と等しくなるように制御する。【選択図】　図１
2004056830.tif 000002
【特許請求の範囲】
【請求項１】
　レーザダイオードにバイアス電流と変調電流を供給して駆動する駆動部に制御信号を供給するバースト信号消光比制御回路であって、
　前記レーザダイオードのバーストごとの平均光パワーを測定する測定手段と、
　前記測定手段で測定された前記平均光パワーに基づき前記レーザダイオードの変調電流Imを制御する変調電流制御手段と、
　前記測定手段で測定された前記平均光パワーに基づき前記レーザダイオードのバイアス電流Ibを制御するバイアス電流制御手段とを、
　有するバースト信号消光比制御回路。
【請求項２】
　前記変調電流制御手段が前記変調電流Imを規定値ΔImだけ増加させる手段を有する機能を持った請求項１に記載のバースト信号消光比制御回路。
【請求項３】
　前記規定値ΔImが前記変調電流Imに比例した量である請求項２に記載のバースト信号消光比制御回路。
【請求項４】
　前記変調電流制御手段が、
　前記変調電流がImのときのバースト＃１の平均光パワーＰ1と前記変調電流がIm＋ΔImのときのバースト＃２の平均光パワーＰ2との差を取る手段と、
　前記差の値があらかじめ定められた基準値ΔＰrefよりも大きい場合は、前記変調電流を減少させ、逆にその差の値が基準値ΔＰrefよりも小さい場合は、前記変調電流を増加させる手段とを、
　有する請求項１に記載のバースト信号消光比制御回路。
【請求項５】
　前記変調電流の増減量をあらかじめ定められた一定値Ａとする請求項４に記載のバースト信号消光比制御回路。
【請求項６】
　前記バイアス電流制御手段が、
　前記バイアス電流がIbのときのバースト＃３の平均光パワーP3と、あらかじめ定められた基準値Ｐrefとを比較する手段と、
　前記比較により前記平均光パワーP3が前記基準値Ｐrefよりも大きい場合は、前記バイアス電流を減少させ、前記平均光パワーP3が前記基準値Ｐrefよりも小さい場合は、前記バイアス電流を増加させる手段とを、
　有する請求項１に記載のバースト信号消光比制御回路。
【請求項７】
　前記バイアス電流の増減量をあらかじめ定められた一定値Ｂとする請求項６に記載のバースト信号消光比制御回路。
【請求項８】
　レーザダイオードにバイアス電流と変調電流を供給して駆動する駆動部に制御信号を供給するバースト信号消光比制御方法であって、
　前記レーザダイオードのバーストごとの平均光パワーを測定する測定ステップと、
　前記測定ステップで測定された前記平均光パワーに基づき前記レーザダイオードの変調電流Imを制御する変調電流制御ステップと、
　前記測定ステップで測定された前記平均光パワーに基づき前記レーザダイオードのバイアス電流Ibを制御するバイアス電流制御ステップとを、
　有するバースト信号消光比制御方法。
【請求項９】
　前記変調電流がImのときのバースト＃１の平均光パワーＰ1と前記変調電流がIm＋ΔImのときのバースト＃２の平均光パワーＰ2との差を取るステップと、
　前記差の値があらかじめ定められた基準値ΔＰrefよりも大きい場合は、前記変調電流を減少させ、逆にその差の値が基準値Ｐrefよりも小さい場合は、前記変調電流を増加させるステップとを、
　有する変調電流制御ステップと、
　前記バイアス電流がIbのときのバースト＃３の平均光パワーP3と、あらかじめ定められた基準値Ｐrefとを比較するステップと、
　前記比較により前記平均光パワーP3が前記基準値Ｐrefよりも大きい場合は、前記バイアス電流を減少させ、前記平均光パワーP3が前記基準値Ｐrefよりも小さい場合は、前記バイアス電流を増加させるステップとを、
　有するバイアス電流制御ステップとを、
　有し、前記変調電流制御ステップと前記バイアス電流制御ステップとを交互に実行するステップを有する請求項８に記載のバースト信号消光比制御方法。
【請求項１０】
　レーザダイオードにバイアス電流と変調電流を供給して駆動する駆動部に制御信号を供給するバースト信号消光比制御方法であって、
　前記レーザダイオードのバーストごとの平均光パワーを測定する測定ステップと、
　前記測定ステップで測定された前記平均光パワーに基づき前記レーザダイオードの変調電流Imを制御する変調電流制御ステップと、
　前記測定ステップで測定された前記平均光パワーに基づき前記レーザダイオードのバイアス電流Ibを制御するバイアス電流制御ステップとを、
　有するバースト信号消光比制御方法をコンピュータに実行させるためのコンピュータプログラム。
【請求項１１】
　前記変調電流がImのときのバースト＃１の平均光パワーＰ1と前記変調電流がIm＋ΔImのときのバースト＃２の平均光パワーＰ2との差を取るステップと、
　前記差の値があらかじめ定められた基準値ΔＰrefよりも大きい場合は、前記変調電流を減少させ、逆にその差の値が基準値ΔＰrefよりも小さい場合は、前記変調電流を増加させるステップとを、
　有する変調電流制御ステップと、
　前記バイアス電流がIbのときのバースト＃３の平均光パワーP3と、あらかじめ定められた基準値Ｐrefとを比較するステップと、
　前記比較により前記平均光パワーP3が前記基準値Ｐrefよりも大きい場合は、前記バイアス電流を減少させ、前記平均光パワーP3が前記基準値Ｐrefよりも小さい場合は、前記バイアス電流を増加させるステップとを、
　有するバイアス電流制御ステップとを、
　有し、前記変調電流制御ステップと前記バイアス電流制御ステップとを交互に実行するステップを有する請求項１０に記載のコンピュータプログラム。
【請求項１２】
　レーザダイオードにバイアス電流を供給するバイアス電流源と、
　前記レーザダイオードに変調電流を供給する変調電流源と、
　前記レーザダイオードのバーストごとの平均光パワーを測定する測定手段と、
　前記測定手段で測定された前記平均光パワーに基づき前記レーザダイオードの変調電流Imを制御する変調電流制御手段と、
　前記測定手段で測定された前記平均光パワーに基づき前記レーザダイオードのバイアス電流Ibを制御するバイアス電流制御手段とを、
　有し、レーザダイオードの平均光パワーと消光比が一定になるようにしたレーザダイオード駆動回路。
【請求項１３】
　請求項１に記載のバースト信号消光比制御回路を搭載した集積回路。
【発明の詳細な説明】
【技術分野】
【０００１】
　本発明はパケット通信におけるデジタルデータの光伝送において使用するレーザダイオードの消光比を制御するバースト信号消光比制御回路及びその集積回路、バースト信号消光比制御方法、コンピュータプログラム並びにレーザダイオード駆動回路に関する。
【背景技術】
【０００２】
　パケット通信におけるデジタルデータの光伝送を行うために用いられるレーザダイオードの典型的な特性を図４に示す。横軸はレーザダイオードに流れる電流Id、縦軸はレーザダイオードからの光出力パワーＰoutである。線甲は、ある温度での特性である。Idを０から徐々に増加させると、初めのうちは光出力パワーＰoutは、ほとんど増加しないが閾値電流値を超えたところ（Ｘ点）から光出力パワーＰoutは比較的線形に増加する。デジタル電気信号を光信号に変換するには、この線形領域を使用する。そのためには「Ｌ」を送信するときはバイアス電流Ibを流し、「Ｈ」を送信するときにはそれに加えて変調電流Imを流すようにする。これにより、光出力パワーは「Ｌ」のときＰＬ、「Ｈ」のときＰＨとなる。
　このとき、消光比はＰＨ／ＰＬで定義される。また、デジタル信号のマーク率（複数ビット中の“１”の割合）が０．５であれば平均出力パワー（平均光パワーとも言う）は(ＰＨ＋ＰＬ)／２で表される。
【０００３】
　しかしながら、温度変化や経時変化により特性が線乙のようになったとすると、消光比、平均光パワーを等しく保つには、バイアス電流Ibと変調電流Imを図に示すようにIb'、Im'へと変化させなければならない。このように消光比や平均光パワーを一定に制御する制御回路が既に提案されている。
【０００４】
　図５は下記の特許文献１などに示されている従来の制御回路の第１の構成例を示す。図５には制御回路５の他、レーザダイオード５１２、変調電流源５１５、バイアス電流源５１６、レーザダイオード５１２の光の一部を電気信号に変換するモニタフォトダイオード５１１が示されている。バースト出力中はスイッチ５１３が接続状態となりレーザダイオード５１２には常にバイアス電流Ibが流れる。バースト中、データが「Ｌ」の場合はレーザダイオード５１２にはIbの電流が流れるだけであるが、データが「Ｈ」である場合はスイッチ５１４が接続状態となり、レーザダイオード５１２にはIb＋Imの電流が流れる。なお実際にはバースト開始より若干早くスイッチ５１３を接続状態にするプリバイアス動作を行うことが多いが、本発明とは直接関係がないため、その説明は省略する。
【０００５】
　光バースト信号がレーザダイオード５１２から発せられると、その一部をモニタフォトダイオード５１１が電流に変換する。その電流信号は電流−電圧変換部（Ｉ／Ｖ）５１によって電圧信号に変換される。最大値検出部５２及び最小値検出部５３は、それぞれ電圧信号の最大値、最小値を検出する。Im／Ib制御部５４はそれらの値が図４におけるＰＨ、ＰＬに一致するように変調電流Imとバイアス電流Ibを求め、変調電流源５１５、バイアス電流源５１６にそれらの値を設定する。このようにして消光比が一定になるように制御していた。
【０００６】
　図６は下記の特許文献２などに示されている従来の制御回路の第２の構成例を示す。図６には制御回路６の他、レーザダイオード６１２、パイロット電流源６１４、変調電流源６１５、バイアス電流源６１６、レーザダイオード６１２の光の一部を電気信号に変換するモニタフォトダイオード６１１が示されている。データが「Ｌ」である場合は、スイッチ６１３が開放状態となり、レーザダイオード６１２には、Ib＋Ipの電流が流れる。データが「Ｈ」である場合は、スイッチ６１３が接続状態となり、レーザダイオード６１２には、Ib＋Im＋Ipの電流が流れる。
【０００７】
　パイロット発振器６４からは正弦波信号が出力されるが、その周波数としてはデータの周波数帯域よりも十分低い値が選ばれる。その正弦波信号に従ってパイロット電流源６１４は正弦波電流Ipを流すが、その振幅は変調電流Imに比べて小さいものとする。
【０００８】
　光信号がレーザダイオード６１２から発せられると、その一部をモニタフォトダイオード６１１が電流に変換する。その電流信号は電流−電圧変換部６１によって電圧信号に変換される。この電気信号にはデータの周波数成分とパイロット信号が含まれている。ローパスフィルタ６２はその中からパイロット信号のみを抜き出す。制御部６３はこのパイロット信号の振幅が一定になるように変調電流Imとバイアス電流Ibを決定する。なお、制御部６３は、レーザダイオード６１２の平均光パワーを一定にする役割を持つので、ローパスフィルタ６２を通る前の電気信号も入力する。パイロット信号の振幅と平均光パワーが一定であれば消光比は一定に保たれる。
【特許文献１】特開平０３−２０９８９０号公報
【特許文献２】特許第２９３２１００号公報
【発明の開示】
【発明が解決しようとする課題】
【０００９】
　しかしながら、上記従来の第１の制御回路においては、データの速度が速くなるとモニタフォトダイオード５１１、電流−電圧変換部５１、最大値検出部５２及び最小値検出部５３にも高速な動作が要求される。すなわちレーザダイオード５１２が発する光波形を正確にトレースできる帯域が求められる。このことは、モニタフォトダイオードとレーザダイオードが実装される光モジュールと制御回路の複雑化、高価格化を招くという問題点がある。
【００１０】
　また、上記従来の第２の制御回路においては、低い周波数のパイロット信号と平均光パワーを扱うだけなので、回路の高速性は要求されないが、送信データは連続であることが前提であり、信号が断続するバースト信号に対しては消光比を制御できないという問題を有していた。 さらに、パイロット信号はデータ信号に対してノイズとなり、伝送品質を低下させるという問題もある。
【００１１】
　本発明は、上記従来の問題を解決するもので、高速なバースト信号に対して消光比を一定に制御できる優れた制御回路を提供することを目的とする。
【課題を解決するための手段】
【００１２】
　上記問題を解決するために、本発明は変調電流をバースト単位で少しだけ増加させる機能を設け、通常の変調電流での平均光パワーと変調電流を増加させた場合の平均光パワーとの差を基準値に一致させるように制御するようにしたものである。また、通常の変調電流での平均光パワーを基準値に一致させるように制御するようにしたものである。
【００１３】
　すなわち、本発明によれば、レーザダイオードにバイアス電流と変調電流を供給して駆動する駆動部に制御信号を供給するバースト信号消光比制御回路であって、
　前記レーザダイオードのバーストごとの平均光パワーを測定する測定手段と、
　前記測定手段で測定された前記平均光パワーに基づき前記レーザダイオードの変調電流Imを制御する変調電流制御手段と、
　前記測定手段で測定された前記平均光パワーに基づき前記レーザダイオードのバイアス電流Ibを制御するバイアス電流制御手段とを、
　有するバースト信号消光比制御回路が提供される。
【００１４】
　この構成によれば、わずかな費用で高速なバースト信号に対して消光比を一定に制御でき、伝送品質を低下させることがない。
【００１５】
　また本発明によれば、レーザダイオードにバイアス電流と変調電流を供給して駆動する駆動部に制御信号を供給するバースト信号消光比制御方法であって、
　前記レーザダイオードのバーストごとの平均光パワーを測定する測定ステップと、
　前記測定ステップで測定された前記平均光パワーに基づき前記レーザダイオードの変調電流Imを制御する変調電流制御ステップと、
　前記測定ステップで測定された前記平均光パワーに基づき前記レーザダイオードのバイアス電流Ibを制御するバイアス電流制御ステップとを、
　有するバースト信号消光比制御方法が提供される。
【００１６】
　この構成によれば、高速なバースト信号に対して消光比を一定に制御でき、伝送品質を低下させることがない。
【００１７】
　また本発明によれば、レーザダイオードにバイアス電流と変調電流を供給して駆動する駆動部に制御信号を供給するバースト信号消光比制御方法であって、
　前記レーザダイオードのバーストごとの平均光パワーを測定する測定ステップと、
　前記測定ステップで測定された前記平均光パワーに基づき前記レーザダイオードの変調電流Imを制御する変調電流制御ステップと、
　前記測定ステップで測定された前記平均光パワーに基づき前記レーザダイオードのバイアス電流Ibを制御するバイアス電流制御ステップとを、
　有するバースト信号消光比制御方法をコンピュータに実行させるためのコンピュータプログラムが提供される。
【００１８】
　この構成によれば、ソフトウェアによる信号処理により高速なバースト信号に対して消光比を一定に制御でき、伝送品質を低下させることがない。
【００１９】
　また本発明によれば、レーザダイオードにバイアス電流を供給するバイアス電流源と、
　前記レーザダイオードに変調電流を供給する変調電流源と、
　前記レーザダイオードのバーストごとの平均光パワーを測定する測定手段と、
　前記測定手段で測定された前記平均光パワーに基づき前記レーザダイオードの変調電流Imを制御する変調電流制御手段と、
　前記測定手段で測定された前記平均光パワーに基づき前記レーザダイオードのバイアス電流Ibを制御するバイアス電流制御手段とを、
　有し、レーザダイオードの平均光パワーと消光比が一定になるようにしたレーザダイオード駆動回路が提供される。
【００２０】
　この構成によれば、わずかな費用で高速なバースト信号に対して消光比を一定に制御でき、伝送品質を低下させることがない。
【発明の効果】
【００２１】
　本発明はバースト単位で変調電流をわずかに変化させてそれによる光出力パワーの変化量から消光比を一定に保つようにしたものである。変調電流に交流を重畳する方式は信号にノイズを加えるのと等価であり伝送品質の低下を招くのに対し、本発明はいわば直流を重畳させるので伝送品質の低下がない。また本発明ではバーストごとに信号振幅が若干変化することになるがバースト用の受信機は一般的にバーストごとに利得制御を行っており、このことによる問題点は生じない。
【発明を実施するための最良の形態】
【００２２】
　図１は本発明の制御回路の実施の形態を示すブロック図である。図１には制御回路１の他、レーザダイオード１１２、変調電流源１１５、バイアス電流源１１６、レーザダイオード１１２の光の一部を電気信号に変換するモニタフォトダイオード１１１が示されている。バースト出力中はスイッチ１１３が接続状態となりレーザダイオード１１２には常にバイアス電流Ibが流れる。バースト中、データが「Ｌ」の場合はレーザダイオード１１２にはIbの電流が流れるだけであるが、データが「Ｈ」である場合はスイッチ１１４が接続状態となり、レーザダイオード１１２にはIb＋Imの電流が流れる。なお上記従来例と同様、プリバイアス動作については省略する。またここではバーストデータのマーク率は0.5とする。
【００２３】
　図１の制御回路１は、モニタフォトダイオード１１１からの信号によりパワーを測定するパワー測定部１１、パワー測定部１１で測定された値をデータとして記憶する記憶部１２、パワー測定部１１で測定された値と記憶部１２に先に記憶された値との差を検出する差検出部１３と、基準値ΔＰrefがあらかじめ格納されているΔＰref格納部１４と、差検出部１３の出力信号と基準値ΔＰrefを比較する比較部１５と、比較部１５の出力信号に応じて変調電流Imを設定する変調電流（Im）設定部１６、基準値Ｐrefがあらかじめ格納されているＰref格納部１７と、パワー測定部１１の出力信号と基準値Ｐrefを比較する比較部１８と、比較部１８の出力信号に応じてバイアス電流Ibを設定するバイアス電流（Ib）設定部１９、これらの各部を制御する制御部１１０とを有している。
【００２４】
　この制御回路の動作を図１、２を参照しながら説明する。制御回路１は立ち上げ後、基準値ΔＰref及びＰrefをそれぞれΔＰref格納部１４、Ｐref格納部１７に設定する。引き続き変調電流Im、バイアス電流Ibの初期値をそれぞれ変調電流設定部１６、バイアス電流設定部１９に設定する。これらの設定動作の詳細は省略する。
【００２５】
　１つ目のバースト＃１を送信する場合、パワー測定部１１はモニタフォトダイオード１１１からの信号を基に当該バーストの平均光パワーを測定する。その結果はいったん記憶部１２に記憶される。その後、変調電流設定部１６は現状の変調電流Imの、例えば１％にあたる電流ΔImを増加させる。次のバースト＃２を送信する間、パワー測定部１１は当該バーストの平均光パワーを測定する。その後、差検出部１３にて記憶部１２に先に記憶されていた値との差を取り、この差を比較部１５で基準値ΔＰrefと比較する。その結果、差＞ΔＰrefであれば、変調電流設定部１６は変調電流Imを規定量Ａだけ減少させる。逆に差＜ΔＰrefであれば変調電流設定部１６は、変調電流Imを規定量Ａだけ増加させる。
【００２６】
　次のバースト＃３では、パワー測定部１１の出力は比較部１８にて基準値Ｐrefと比較され、測定パワー＞Ｐrefであれば、バイアス電流設定部１９はバイアス電流Ibを規定量Ｂだけ減少させる。逆に測定パワー＜Ｐrefであれば、バイアス電流設定部１９はバイアス電流Ibを規定量Ｂだけ増加させる。
　これらの処理はレーザダイオードの特性変化の速度に比べて十分に頻繁であれば、連続するバーストに対して行われなくてもよい。すなわち図２においてバースト＃１、＃２、＃３の間に制御に寄与しないバーストがあってもよい。
【００２７】
　上記の動作によって消光比が一定に制御できる理由を図３を用いて説明する。図３はレーザダイオードの電流Id対光出力パワーＰout特性を示している。データが「Ｌ」の場合は
　　　　Id＝Ib
で、そのときの光出力パワーはＰＬである。データが「Ｈ」の場合は
　　　　Id＝Ib＋Im
で、そのときの光出力パワーはＰＨである。マーク率が0.5であれば平均的に
　　　　Id＝Ib＋Im／２
となり、そのときの光出力パワーはＰaveである。
【００２８】
　さて、ここで変調電流をΔImだけ増加させると平均的に
　　　　Id＝Ib＋（Im＋ΔIm）／２
となり、そのときの光出力パワーはＰave+となる。このときのパワーの増分をΔＰとする。
【００２９】
　これらのことから消光比ExRを求める。レーザダイオードの線形領域での特性は直線と見なすことができ、その式を
　　　　Ｐout＝Ｋ×Id＋Ｊ
とおく。このとき傾きＫは図３から明らかなように
　　　　Ｋ＝ΔＰ／（ΔIm／２）
である。また、平均光パワーは
　　　　Ｐave＝Ｋ（Ib＋（Im／２））＋Ｊ
【００３０】
　さらに、
　　　　ＰＬ＝Ｋ×Ib＋Ｊ
　　　　ＰＨ＝Ｋ（Ib＋Im）＋Ｊ
である。以上から
　　ＥxＲ＝ＰＨ／ＰＬ
　　　　＝（Ｐave＋（ΔＰ／ΔIm））／（Ｐave−（ΔＰ／ΔIm））
【００３１】
　ここでΔImをImに比例した値、Ｃ×Im（Ｃは定数）とすると
　　ＥxＲ＝ＰＨ／ＰＬ
　　　　＝（Ｐave＋（ΔＰ／Ｃ））／（Ｐave−（ΔＰ／Ｃ））
となり、平均光パワーＰaveと変調電流を変化させたときの平均光パワーの変動量ΔＰを一定になるように制御すれば消光比が一定に保たれることがわかる。
【００３２】
　なお、この制御回路は個別の部品で実現してもよいし、その全部又は一部を集積回路により実現させてもよい。
【００３３】
　さらに、上記実施の形態では制御部１１０の制御の下に各部が動作するものとして説明したが、モニタフォトダイオード１１１の出力をAD変換しＣＰＵ（中央演算処理装置）に取り込む形にしてソフトウェアにて、これらの処理を行うことも可能である。その場合の処理のフローは図２に示したものとなる。すなわち、ステップＳ１で基準値ΔＰref及びＰrefをそれぞれ設定し、ステップＳ２で変調電流Im、バイアス電流Ibの初期値をそれぞれ設定する。次いでステップＳ３で１つ目のバーストを送信する。ステップＳ４では、モニタフォトダイオード１１１からの信号を基に当該バーストの平均光パワーを測定する。その結果はステップＳ５で記憶される。その後、ステップＳ６で現状の変調電流Imの、例えば１％にあたる電流ΔImを増加させる。次いでステップＳ７で次のバーストを送信し、ステップＳ８で当該バーストの平均光パワーを測定する。
【００３４】
　その後、ステップＳ９で先に記憶されていた値と、現在の測定値との差を取り、この差をステップＳ１０で基準値ΔＰrefと比較する。その結果、差＞ΔＰrefであれば、ステップＳ１１で変調電流Imを規定量Ａ及びΔImだけ減少させる。逆に差＜ΔＰrefであれば、ステップＳ１２で変調電流Imを規定量Ａだけ増加させ、かつΔImだけ減少させる。ステップＳ１１、Ｓ１２で、変調電流ImをΔImだけ減少させるのは、ステップＳ６で増加させたΔImだけ減少させて、本来の値に戻すためである。ステップＳ１１又はステップＳ１２が終了すると、ステップＳ１３へ行き、次のバーストを送信する。ステップＳ１４では、平均光パワーを測定し、その値はステップＳ１５で基準値Ｐrefと比較される。測定パワー＞Ｐrefであれば、ステップＳ１６でバイアス電流Ibを規定量Ｂだけ減少させる。逆に測定パワー＜Ｐrefであれば、ステップＳ１７でバイアス電流Ibを規定量Ｂだけ増加させる。
【００３５】
　ステップＳ１６又はＳ１７の後は、ステップＳ３に戻り、以後ステップＳ３〜ステップＳ１６又はステップＳ１７を繰り返す。すなわち、ステップＳ３からステップＳ１１又はステップＳ１２とステップＳ１３〜ステップＳ１６又はステップＳ１７が交互に実行される。
【産業上の利用可能性】
【００３６】
　以上のように本発明によれば、いわば直流を重畳させるので伝送品質の低下がなく、本発明ではバーストごとに信号振幅が若干変化することになるがバースト用の受信機は一般的にバーストごとに利得制御を行っており、このことによる問題点は生じないので、パケット通信におけるデジタルデータの光伝送において使用するレーザダイオードの消光比を制御するバースト信号消光比制御回路及びその集積回路、バースト信号消光比制御方法、コンピュータプログラム並びにレーザダイオード駆動回路などに利用可能である。
【図面の簡単な説明】
【００３７】
【図１】本発明の制御回路の実施の形態を示すブロック図
【図２】本発明の制御回路をソフトウェアで実現する実施の形態における処理の流れを示すフローチャート
【図３】レーザダイオードの電流Id対光出力パワーＰout特性を示すグラフ
【図４】レーザダイオードの典型的な特性を示すグラフ
【図５】従来の制御回路の第１の構成例を示すブロック図
【図６】従来の制御回路の第２の構成例を示すブロック図
【符号の説明】
【００３８】
　１、５、６　制御回路
　１１　パワー測定部
　１２　記憶部
　１３　差検出部
　１４　ΔＰref格納部
　１５、１８　比較部
　１６　変調電流設定部
　１７　Ｐref格納部
　１９　バイアス電流設定部
　５１、６１　電流−電圧変換部（Ｉ／Ｖ）
　５２　最大値検出部
　５３　最小値検出部
　５４　Im/Ib制御部
　６２　ローパスフィルタ
　６３、１１０　制御部
　６４　パイロット発振器
　１１１、５１１、６１１　モニタフォトダイオード
　１１２、５１２、６１２　レーザダイオード
　１１３、１１４、５１３、５１４、６１３　スイッチ
　１１５、５１５、６１５　変調電流源
　１１６、５１６、６１６　バイアス電流源
　６１４　パイロット電流源
【図１】
2004056830.tif 000003
【図２】
2004056830.tif 000004
【図３】
2004056830.tif 000005
【図４】
2004056830.tif 000006
【図５】
2004056830.tif 000007
【図６】
2004056830.tif 000008